(57)【特許請求の範囲】
【請求項１】
蟻の進行を抑制する板状の蟻ストッパの一部を収容する収容部と、該収容部の開口部に設けられる板状のフランジ部とを有し、建物の下部を形成するコンクリート部に接続されるストッパ受けと、
前記ストッパ受けの収容部に挿入する挿入部と、該挿入部と連設し、該挿入部を前記ストッパ受けの収容部に挿入した際、前記建物の外側面から外側に向けて突出する突出部と、を有する前記蟻ストッパと、
前記コンクリート部を施工する際、前記蟻ストッパに代えて前記収容部に挿入する板状の仮スペーサとを備える防蟻装置。
【請求項２】
前記建物が前記コンクリート部の外側に断熱材からなる断熱部を有する場合、前記ストッパ受けの収容部の収容深さ方向における長さは、前記断熱部の厚さ方向における長さよりも長い、請求項１に記載の防蟻装置。
【請求項３】
前記コンクリート部の施工の際、前記断熱部と該断熱部の外側に設置される型枠とを挟み込んで固定する断熱固定枠を更に備える、請求項２に記載の防蟻装置。
【請求項４】
前記蟻ストッパを覆うストッパカバーを更に備える、請求項１から３の何れか一に記載の防蟻装置。
【請求項５】
前記ストッパ受けは、前記建物の下部の周囲に渡って、複数の該ストッパ受けが連続して前記コンクリート部に接続され、
前記蟻ストッパは、前記ストッパ受け同士の継目を覆うように、前記挿入部が前記ストッパ受けの収容部に収容される、請求項１から４の何れか一に記載の防蟻装置。
【請求項６】
建物の下部を形成するコンクリート部を覆う型枠を設置する型枠設置工程と、
前記建物内への蟻の侵入を抑制する防蟻装置を設置する防蟻装置設置工程と、
前記型枠設置工程及び前記防蟻装置設置工程の終了後、前記コンクリート部のコンクリートを打設するコンクリート打設工程と、
前記コンクリート打設工程の終了後、前記型枠を解体する型枠解体工程と、を備えた防蟻工法であって、
前記防蟻装置は、
蟻の進行を抑制する板状の蟻ストッパの一部を収容する収容部と、該収容部の開口部に設けられる板状のフランジ部とを有し、前記建物の下部を形成するコンクリート部に接続されるストッパ受けと、
前記ストッパ受けの収容部に挿入する挿入部と、該挿入部と連設し、該挿入部を前記ストッパ受けの収容部に挿入した際、前記建物の外側面から外側に向けて突出する突出部と、を有する前記蟻ストッパと、
前記コンクリート部を施工する際、前記蟻ストッパに代えて前記収容部に挿入する板状の仮スペーサと、を有し、
前記防蟻装置設置工程では、前記ストッパ受けの開口部と反対側の奥側端部が前記コンクリート部に達するように、前記仮スペーサが収容される前記ストッパ受けを設置し、
前記防蟻工法は、
前記型枠解体工程の終了後に実行される工程であって、前記ストッパ受けの収容部に、前記仮スペーサに代えて前記蟻ストッパを挿入するストッパ差替工程を更に備える、防蟻工法。
【請求項７】
前記建物が前記コンクリート部の外側に断熱材からなる断熱部を有する場合、前記ストッパ受けの収容部の収容深さ方向における長さは、断熱部の厚さ方向における長さよりも長く、
前記防蟻装置設置工程では、前記型枠と前記コンクリート部との間に、第一断熱材を配置し、該第一断熱材の上に、前記仮スペーサが収容部に収容されたストッパ受けの奥側端部が前記コンクリート部に達するように配置し、更に該ストッパ受けの上に第二断熱材を配置する、請求項６に記載の防蟻工法。
【発明の詳細な説明】
【技術分野】
【０００１】
本発明は、防蟻装置、及び防蟻工法に関する。
【背景技術】
【０００２】
白蟻を防除する技術として、所定の薬剤（防蟻剤）を用いる処理が知られている。所定の薬剤を用いる処理には、建物の基礎の内側などの白蟻が通過する恐れのある土壌を薬剤処理するもの、木材表面に薬剤を吹付けるものがある。また、防蟻剤を用いずに白蟻を防除する技術として特許文献１に記載の技術が知られている。特許文献１に記載には、帯板状のアンカープレートをコンクリートで支持させ、このアンカープレートに防蟻板を支持させる技術が開示されている。
【先行技術文献】
【特許文献】
【０００３】
【特許文献１】特開平１１−１００９１３号公報
【発明の概要】
【発明が解決しようとする課題】
【０００４】
防蟻剤を用いずに白蟻を防除する技術として、帯板状のアンカープレートをコンクリートで支持させ、このアンカープレートに防蟻板を支持させる技術が開示されている。この従来技術では、型枠の内側に両面粘着テープを介してアンカープレートを設置し、コンクリート打設後に両面粘着テープを剥がし、アンカープレートが有する挿入溝に防蟻板を挿入する。この従来技術では、アンカープレートの挿入溝の開口部が両面粘着テープで覆われていることから、コンクリート打設の際に挿入溝内にコンクリートが侵入することを抑制することができる。しかしながら、この従来技術では、アンカープレートが周囲のコンクリートからの圧力によって変形し、挿入溝の一部が塞がるなどの原因により、防蟻板を挿入することができなくなる虞がある。また、挿入溝の一部が塞がると、防蟻板が完全に挿入できなくなる場合もある。その結果、挿入溝内に隙間が形成され、その隙間が、結果として白蟻の蟻道となってしまうことも懸念される。
【０００５】
本発明は、上記問題に鑑みてなされたものであり、従来よりも更に確実に白蟻を防除できる技術を提供することを課題とする。
【課題を解決するための手段】
【０００６】
本発明は、上記の課題を解決するため、以下の手段を採用する。すなわち、本発明は、蟻の進行を抑制する板状の蟻ストッパの一部を収容する収容部と、該収容部の開口部に設けられる板状のフランジ部とを有し、建物の下部を形成するコンクリート部に接続されるストッパ受けと、前記ストッパ受けの収容部に挿入する挿入部と、該挿入部と連設し、該挿入部を前記ストッパ受けの収容部に挿入した際、前記建物の外側面から外側に向けて突出する突出部と、を有する前記蟻ストッパと、前記コンクリート部を施工する際、前記蟻ストッパに代えて前記収容部に挿入する板状の仮スペーサと、を備える。
【０００７】
本発明によれば、仮スペーサを備えることで、コンクリート部を打設する際、収容部へのコンクリートの侵入を抑制することができる。また、コンクリート圧によって、ストッパ受け、特に収容部が変形することを抑制することができる。その結果、防蟻剤を用いずに、従来よりも更に確実に蟻を防除することが可能となる。例えば、建物下の土壌から蟻が侵入しようとする場合、蟻は、コンクリート部の外側面に沿って建物内に侵入することが想定される。本発明では、コンクリート部にストッパ受けが接続されていることから、
コンクリート部の外側面に沿って進行する蟻の進路が、ストッパ受けに沿って進行するように規制される。また、ストッパ受けには、蟻ストッパが収容されていることから、ストッパ受けに沿って進行してきた蟻は、次に蟻ストッパに沿って進行することになる。蟻ストッパは、建物の外側面から外側に向けて突出しており、建物下の土壌から建物内への蟻の侵入が発生していることを外部から視認することが可能となる。換言すると、目視できないところで蟻が建物内に侵入するのを抑制することができる。なお、建物下の土壌から建物内への蟻の侵入が確認された場合には、従来の種々の駆除方法によって蟻を駆除すればよい。なお、蟻ストッパには、突出部に、蟻の進行をより効果的に抑制する返し部を設けることが好ましい。返し部を設けることで、蟻の進行を遅らせることができ、より効果的に蟻の進行を抑制することができる。
【０００８】
本発明に係る防蟻装置は、蟻、特に白蟻を防除する装置として好適に用いることができる。防蟻装置の材質は、コンクリート部の打設時や、施工後のコンクリート圧に耐えうるものであればよい。本発明に係る防蟻装置は、建物の下部に形成されるコンクリート部、例えば、建物の基礎を構成する基礎コンクリートの立ち上がり部に好適に用いることができる。基礎コンクリートの立ち上がり部に防蟻装置を設置することで、建物下の土壌から建物内に侵入しようとする蟻（特に白蟻）の進行を効果的に抑制することができる。基礎コンクリートには、ベタ基礎、布基礎が例示される。
【０００９】
蟻ストッパの挿入部の外側の形状とストッパ受けの収容部の内側の形状は、同形状とすることが好ましい。これにより、蟻ストッパの挿入部を収容部に挿入した際、挿入部と収容部との間に隙間が形成されることを抑制することができる。換言すると、蟻道の形成を抑制することができる。なお、仮スペーサは、上記のようにコンクリート部を施工する際、収容部へのコンクリートの侵入や、コンクリート圧によって、ストッパ受け、特に収容部が変形することを抑制する。従って、仮スペーサについても、収容部に挿入する部分の外側の形状は、収容部の内側の形状と同形状とすることが好ましい。なお、仮スペーサは、コンクリート部の施工後において、容易に収容部から引き出せることが好ましい。従って、仮スペーサは、収容部から引き出す際に把持可能な把持部を更に備えることが好ましい。但し、把持部が突出しているとコンクリート打設の際、特に型枠を建て込む際に障害となる虞がある。従って、把持部は、外側に突出しない形状、例えば、仮スペーサの端部を折り曲げ、平板状とすることが好ましい。
【００１０】
ここで、近年では、建物に断熱材を設けることが主流となっている。断熱材を設けることで建物内における冷房や暖房のエネルギー効率を高めることができる。しかしながら、断熱材を設ける場合、コンクリート部と断熱材との間に隙間が形成され、この隙間が蟻道となることが懸念される。また、断熱材の中が蟻道となることも懸念される。
【００１１】
そこで、建物がその外側表面に断熱材からなる断熱部を有する場合、ストッパ受けの収容深さ方向における長さを少なくとも断熱部の厚さ方向における長さよりも長く形成すればよい。ストッパ受けの収容深さが断熱部の厚さを上回ることで、建物が断熱部を有する場合でも、蟻ストッパをコンクリート部に接続することができる。その結果、建物の外側から視認可能である蟻ストッパに、蟻を確実に導くことが可能となり、蟻の防除効果を実現することができる。従って、本発明に係る防蟻装置は、このような断熱材を有する建物にも好適に用いることができる。
【００１２】
また、本発明に係る防蟻装置は、前記コンクリート部の施工の際、前記断熱部と該断熱部の外側に設置される型枠とを挟み込んで固定する断熱固定枠を更に備える構成でもよい。断熱固定枠を備えることで、施工性が向上する。
【００１３】
また、上述した本発明に係る防蟻装置は、上記蟻ストッパを覆うストッパカバーを更に
備える構成でもよい。例えば、蟻ストッパを薄い鋼板で形成した場合であっても、端部も含めてストッパカバーで覆うことで安全性をより向上することができる。
【００１４】
ここで、本発明に係る防蟻装置は、上記以外の態様として、以下に説明する態様としてもよい。
【００１５】
具体的には、本発明に係る防蟻装置において、前記ストッパ受けは、前記建物の下部の周囲に渡って、複数の該ストッパ受けが連続して前記コンクリート部に接続され、前記蟻ストッパは、前記ストッパ受け同士の継目を覆うように、前記挿入部が前記ストッパ受けの収容部に収容されるようにしてもよい。隣接するストッパ受け同士の継目と収容される蟻ストッパ同士の継目が重ならないようにすることで、仮にストッパ受け同士の間や蟻ストッパ同士の間に隙間が生じたとしても、ストッパ受けと蟻ストッパのうち少なくとも何れか一方が必ずコンクリート部に達することになる。その結果、ストッパ受け同士の間や蟻ストッパ同士の間の隙間からの、蟻の建物への侵入が抑制される。換言すると、蟻を建物の外部に導くことができ、建物下の土壌から建物内への蟻の侵入が発生していることを外部から視認することが可能となる。
【００１６】
また、本発明は、更に以下の態様としてもよい。上述した態様では、本発明に係る防蟻装置は、仮スペーサを備えることで、コンクリート部を打設する際、コンクリート圧によって、ストッパ受け、特に収容部が変形することが抑制される。ここで、例えば、収容部の長さを、コンクリート部と接触しない長さとすることでコンクリート部を打設する際のストッパ受けに対する負荷を低減することができる。但し、収容部を含め、ストッパ受けの全てがコンクリート部に接続される構成では、建物内への蟻の侵入の防止を実現することができない。
【００１７】
そこで、本発明に係る防蟻装置は、前記ストッパ受けが、前記収容部と接続され、前記建物の下部を形成するコンクリート部に接続される板状部を更に有し、前記建物が前記コンクリート部の外側に断熱材からなる断熱部を有する場合、前記ストッパ受けの収容部の収容深さ方向における長さが、前記断熱部の厚さ方向における長さよりも短い構成とすることができる。この場合、蟻ストッパの挿入部は、収容部に合わせて断熱部の厚さ方向における長さよりも短い構成とすることが好ましい。なお、収容部の収容深さ方向における長さを短くすることで、ストッパ受けに使用する材料を削減することができる。また、収容部の収容深さ方向における長さを短くすることに合わせて、仮スペーサ、蟻ストッパ、ストッパカバーにおける各挿入部の長さを短くすることができる。その結果、防蟻装置全体として、使用する材料を削減することが可能となる。
【００１８】
本発明に係る防蟻装置では、板状部がコンクリート部に接続されることから、先に説明した防蟻装置と同じく、建物内への蟻の侵入を抑制することができる。つまり、本発明に係る防蟻装置においても、コンクリート部にストッパ受け（本態様では、板状部）が接続されていることから、コンクリート部の外側面に沿って進行する蟻の進路が、ストッパ受けに沿って進行するように規制される。また、ストッパ受けには、蟻ストッパが収容されていることから、ストッパ受けに沿って進行してきた蟻は、次に蟻ストッパに沿って進行することになる。蟻ストッパは、建物の外側面から外側に向けて突出しており、建物下の土壌から建物内への蟻の侵入が発生していることを外部から視認することが可能となる。換言すると、目視できないところで蟻が建物内に侵入するのを抑制することができる。
【００１９】
なお、本発明に係る防蟻装置において、前記ストッパ受けは、前記建物の下部の周囲に渡って、複数の該ストッパ受けが連続して前記コンクリート部に接続され、前記防蟻装置は、前記ストッパ受けの板状部同士の継目を覆うカバー部を更に備える構成とすることができる。隣接するストッパ受け同士の継目を覆うカバー部を設けることで、ストッパ受け
同士の間の隙間からの、蟻の建物への侵入が抑制される。カバー部は、ストッパ受けの板状部同士の継目を覆う必要があることから、カバー部の収容深さ方向における長さは、板状部の収容深さ方向における長さと同じとすることが好ましい。換言すると、カバー部の収容深さ方向における長さは、コンクリート部に達する長さを有していることが好ましい。
【００２０】
ここで、本発明は、上述した防蟻装置を用いた防蟻工法でもよい。すなわち、本発明は、建物の下部を形成するコンクリート部を覆う型枠を設置する型枠設置工程と、前記建物内への蟻の侵入を抑制する防蟻装置を設置する防蟻装置設置工程と、前記型枠設置工程及び前記防蟻装置設置工程の終了後、前記コンクリート部のコンクリートを打設するコンクリート打設工程と、前記コンクリート打設工程の終了後、前記型枠を解体する型枠解体工程と、を備える。防蟻装置には、上述した防蟻装置を用いることができる。そして、前記防蟻装置設置工程では、前記ストッパ受けの開口部と反対側の奥側端部が前記コンクリート部に達するように、前記仮ストッパが収容されるストッパ受けを設置する。ストッパ受けは、建物の下部の周囲に渡って切れ目なく配置することが好ましい。隣接するストッパ受け同士の継目と隣接する仮ストッパ同士の継目は、重ならないように設置することが好ましい。そして、前記防蟻工法は、前記型枠解体工程の終了後に実行される工程であって、前記ストッパ受けの収容部に、前記仮スペーサに代えて前記蟻ストッパを挿入するストッパ差替工程を更に備える。ストッパ差替え工程では、蟻ストッパを、ストッパ受け同士の継目を覆うように、挿入部をストッパ受けの収容部に収容することが好ましい。すなわち、隣接するストッパ受け同士の継目と隣接する蟻ストッパ同士の継目が、重ならないように蟻ストッパを設置することが好ましい。
【００２１】
本発明に係る防蟻工法では、防蟻装置設置工程において仮スペーサが収容されるストッパ受けが設置され、コンクリート打設工程及び型枠解体工程の終了後に実行されるストッパ差替工程において仮スペーサに代えて前記蟻ストッパが挿入される。その結果、コンクリート部を打設する際、収容部へのコンクリートの侵入を抑制することができ、また、コンクリート圧によって、ストッパ受け、特に収容部が変形することを抑制することができる。従って、防蟻剤を用いずに、従来よりも更に確実に白蟻を防除することが可能となる。
【００２２】
なお、上述したように、本発明に係る防蟻装置は、断熱材を有する建物にも好適に用いることができる。断熱材を有する建物に防蟻装置を用いる場合、以下のように施工すればよい。すなわち、前記建物が前記コンクリート部の外側に断熱材からなる断熱部を有する場合、前記ストッパ受けの収容部の収容深さ方向における長さは、断熱部の厚さ方向における長さよりも長くする。前記防蟻装置設置工程では、前記型枠と前記コンクリート部との間に、第一断熱材を配置し、該第一断熱材の上に、前記仮スペーサが収容部に収容されたストッパ受けの奥側端部が前記コンクリート部に達するように配置し、更に該ストッパ受けの上に第二断熱材を配置する。
【００２３】
これにより、断熱材を有する建物についても、容易かつ確実に防蟻装置を設置することができる。すなわち、断熱材を設置する際に、第一断熱材と第二断熱材との間に防蟻装置を挟むだけでよい。換言すると、本発明では、防蟻装置を設置せずに断熱材のみを設置する場合と殆ど同じ作業負担で防蟻装置を設置することができる。なお、防蟻装置は、コンクリート部まで達しているので、建物下の土壌から建物内へ侵入しようとする蟻を確実に防蟻装置に導くことができる。その結果、蟻の防除効果を実現することができる。
【００２４】
なお、本発明は、上述した防蟻装置を含む防蟻構造、若しくは上述した防蟻工法によって施工される防蟻構造とすることができる。
【発明の効果】
【００２５】
本発明によれば、従来よりも更に確実に白蟻を防除できる技術を提供することができる。
【図面の簡単な説明】
【００２６】
【図１】第一実施形態に係る防蟻装置を示す。
【図２】第一実施形態に係るコンクリート部施工時における防蟻構造の断面図を示す。
【図３】第一実施形態に係る完成後における防あり構造の断面図を示す。
【図４】第一実施形態に係るストッパ受けの斜視図を示す。
【図５】第一実施形態に係る蟻ストッパの斜視図を示す。
【図６】第一実施形態に係る仮スペーサの斜視図を示す。
【図７】第一実施形態に係る断熱固定枠の斜視図を示す。
【図８】第一実施形態に係るストッパカバーの斜視図を示す。
【図９】第一実施形態に係る防蟻工法の工程フローを示す。
【図１０Ａ】第一実施形態に係る型枠が設置された状態を示す。
【図１０Ｂ】第一実施形態に係る第一断熱材が設置された状態を示す。
【図１０Ｃ】第一実施形態に係るストッパ受けが第一断熱部材上に設置された状態を示す。
【図１０Ｄ】第一実施形態に係るストッパ受け上に第二断熱材が設置された状態を示す。
【図１０Ｅ】第一実施形態に係るコンクリートが打設された状態を示す。
【図１０Ｆ】第一実施形態に係る型枠が解体された状態を示す。
【図１０Ｇ】第一実施形態に係る仮スペーサに代えて蟻ストッパが挿入される状態を示す。
【図１０Ｈ】第一実施形態に係るコーキング剤が充填された状態を示す。
【図１１】第二実施形態に係る防蟻装置を示す。
【図１２】第二実施形態に係るコンクリート部の施工時における防蟻構造の断面図を示す。
【図１３】第二実施形態に係る完成後における防蟻構造の断面図を示す。
【図１４】第二実施形態に係るストッパ受けの斜視図を示す。
【図１５】第二実施形態に係るジョイントカバーの斜視図を示す。
【図１６Ａ】第二実施形態に係る型枠が設置された状態を示す。
【図１６Ｂ】第二実施形態に係る第一断熱材が設置された状態を示す。
【図１６Ｃ】第二実施形態に係るストッパ受けが第一断熱部材上に設置された状態を示す。
【図１６Ｄ】第二実施形態に係るジョイントカバーによってストッパ受けの継目を覆った状態を示す。
【図１６Ｅ】第二実施形態に係るストッパ受け上に第二断熱材が設置された状態を示す。
【図１６Ｆ】第二実施形態に係るコンクリートが打設された状態を示す。
【図１６Ｇ】第二実施形態に係る型枠が解体された状態を示す。
【図１６Ｈ】第二実施形態に係る仮スペーサに代えて蟻ストッパが挿入される状態を示す。
【図１７Ａ】従来の蟻返しの設置例の一例を示す断面図である。
【図１７Ｂ】従来の蟻返しの設置例の一例を示す平面図である。
【図１８Ａ】実施形態に係る防蟻装置の設置例の一例を示す断面図である。
【図１８Ｂ】実施形態に係る防蟻装置の設置例の一例を示す平面図である。
【発明を実施するための形態】
【００２７】
次に、本発明の防蟻装置及び防蟻工法の実施形態について図面に基づいて説明する。なお、以下の説明では、断熱部８を有する建物のコンクリート部（本態様では、ベタ基礎）に対して防蟻装置１００を適用する場合を例に説明する。但し、本発明の防蟻装置及び防蟻工法は、以下に説明する実施形態に限定されるものではない。本発明の防蟻装置及び防蟻工法は、断熱部を有さない建物にも適用可能である。また、コンクリート部は、例えば、布基礎でもよい。
【００２８】
[第一実施形態]
＜防蟻装置＞
図１は、第一実施形態に係る防蟻装置１００を示す。また、図２は、コンクリート部の施工時における防蟻構造の断面図を示し、図３は、完成後における防蟻構造の断面図を示す。第一実施形態に係る防蟻装置１００は、ストッパ受け１、蟻ストッパ２、仮スペーサ３、断熱固定枠５、ストッパカバー５を備える。防蟻装置１００は、いずれも表面に塗装が施された鉄製の薄板によって構成されている。なお、防蟻装置１００は、ステンレス製としてもよい。以下、各構成について説明する。
【００２９】
（ストッパ受け）
図４は、ストッパ受け１の斜視図を示す。ストッパ受け１は、白蟻の進行を抑制する板状の蟻ストッパの挿入部２１を収容する収容部１１と、収容部１１の開口部１４に設けられる板状のフランジ部１０とを有する。ストッパ受け１は、鉄製の薄板を折り曲げることで、収容部１１とフランジ部１０が一体的に形成されている。収容部１１の収容深さは、断熱部８の厚みよりも長くなるよう設計されている。これにより、収容部１１の奥側端部１５をコンクリート部６の立ち上がり部６１に埋設することが可能となる（図２、図３参照。）収容部１１の奥側端部１５をコンクリート部６の立ち上がり部６１に埋設することで、立ち上がり部６１の外側面（コンクリート部６の外側であり、図３において、断熱部８の左側に相当する）に沿って進行する白蟻や断熱部８内を進行する白蟻の進路をストッパ受け１に沿うよう変更することが可能となる。そして、最終的に白蟻を外部から視認可能である蟻ストッパ２の返し部２４に導いて、白蟻が見えないところで建物内へ侵入するのを抑制することができる。また、返し部２４により白蟻の進行を遅らせることができ、白蟻の建物内への進行を抑制することが可能となる。ストッパ受け１の収容部１１の内側の厚み（開口部１４の厚み）は、蟻ストッパ２の挿入部２１の厚みと同じとなるように設計されている。これにより、蟻ストッパ２を挿入した際、ストッパ受け１の収容部１１内に隙間が形成されることを抑制できる。なお、ストッパカバー４を設置する場合、ストッパ受け１の収容部１１の内側の厚みは、ストッパカバー４の挿入カバー部４１の厚みを考慮して設計することが好ましい。ストッパ受け１の幅は、施工性を考慮して適宜設計すればよい。
【００３０】
フランジ部１０は、上フランジ１２と下フランジ１３を有する。フランジ部１０は、収容部１１と直交している。フランジ部１０と収容部１１との間に形成される角部に断熱部８の角部を合わせることでストッパ受け１の位置決めを容易に行うことができる。
【００３１】
（蟻ストッパ）
図５は、蟻ストッパ２の斜視図を示す。蟻ストッパ２は、挿入部２１と突出部２０を有する。蟻ストッパ２も、鉄製の薄板を折り曲げることで、挿入部２１と突出部２０が一体的に形成されている。挿入部２１は、上述した収容部１１に挿入するものであり、収容部１１の内側の形状に合わせて設計されている。突出部２０は、建物の外側に突出しており、このような建物の外側に突出する蟻ストッパ２に白蟻を導くことで、建物内の見えないところで白蟻が建物内に侵入することを抑制することができる。具体的には、突出部２０は、挿入部２１と連接し下側に向けて傾斜する傾斜部２２、傾斜部２２と連接しかつ挿入部２１と直交する垂直部２３、垂直部２３の下端と連接し、内側（建物側）の上方に向け
て屈折する返し部２４を有する。傾斜部２２によれば、雨が建物内に浸入するのを抑制できる。また、返し部２４を設けることで安全性を向上することができる。また、上記のような傾斜や向きが異なる領域が連続して設けられた突出部２０により、白蟻の進行を遅らせることができ、その結果、建物内への白蟻の進行を抑制することができる。なお、蟻ストッパ２の幅は、施工性を考慮して適宜設計すればよい。
【００３２】
（仮スペーサ）
図６は、仮スペーサ３の斜視図を示す。仮スペーサ３は、仮挿入部３１、把持部３２を有する。仮スペーサ３は、コンクリート部６を施工する際、蟻ストッパ２に代えて収容部１１に挿入する。これにより、コンクリート部６を打設する際、収容部１１へのコンクリートの侵入を抑制することができる。また、コンクリート圧によって、ストッパ受け１、特に収容部１１が変形することを抑制することができる。仮スペーサ３も、鉄製の薄板を折り曲げることで、仮挿入部３１と把持部３２が一体的に形成されている。仮挿入部３１は、コンクリート部６を施工する際に、蟻ストッパ２に代えて収容部１１に挿入するものであり、蟻ストッパ２の挿入部２１と同じく、収容部１１の内側の形状に合わせて設計されている。把持部３２は、コンクリート部６の施工完了後、仮スペーサ３を収容部１１から引き抜く場合に把持される。第一実施形態に係る把持部３２は、仮挿入部３１と直交するよう、仮スペーサ３の端部が屈折することで形成されている。仮スペーサ３の幅は、施工性を考慮して適宜設計すればよい。
【００３３】
（断熱固定枠）
図７は、断熱固定枠５の斜視図を示す。断熱固定枠５は、コンクリート部６の施工の際、断熱部８と断熱部８の外側に設置される型枠７とを挟み込んで固定する。第一実施形態に係る断熱固定枠５は、ベース部５１と内側側板部５２、外側側板部５３（以下、両者を纏めて単に側板部５０ともいう）とを有する。断熱固定枠５も、鉄製の薄板を折り曲げることで、ベース部５１と側板部５０が一体的に形成されている。ベース部５１は、断熱部８の上端又は下端と接触する。一方、側板部５０は、外側側板部５２と内側側板部５３からなり、外側板部５３は、外側型枠７１の外側面と接触し、内側側板部５２は、断熱部８の内側面と接触する。なお、外側側板部５３と内側側板部５２との間隔は、断熱部８厚さと外側型枠７の厚さの和と同じになるように設計されている。断熱固定枠５の幅は、施工性を考慮して適宜設計すればよい。
【００３４】
（ストッパカバー）
図８は、ストッパカバー４の斜視図を示す。ストッパカバー４は、蟻ストッパ２を覆うものであり、蟻ストッパ２の返し部２４も含めて覆うことで、防蟻装置１００の安全性を向上させる。第一実施形態に係るストッパカバー４は、挿入部２１を覆う挿入カバー部４１、傾斜部２２を覆う傾斜カバー部４２、垂直部２３を覆う垂直カバー部４３、返し部２４を覆う返しカバー部４５を有する。ストッパカバー４も、鉄製の薄板を折り曲げることで、挿入カバー部４１、傾斜カバー部４２、垂直カバー部４３、返しカバー部４５が一体的に形成されている。ストッパカバー４は、基本的には蟻ストッパ２の形状と同じであるが、蟻ストッパ２を覆うよう、蟻ストッパ２よりも大きく形成されている。ストッパカバー４の幅は、施工性を考慮して適宜設計すればよい。なお、ストッパカバー４は、蟻ストッパ２のうち、建物の外部に露出している部分をカバーできればよい。従って、挿入カバー部４１の挿入方向における長さは、ストッパ受け１に対する固定力を確保できる長さを有していればよく、挿入部２１の挿入方向における長さよりも短くてもよい。
【００３５】
＜防蟻工法＞
次に第一実施形態に係る防蟻工法について説明する。図９は、防蟻工法の工程フローを示す。型枠設置工程（ステップＳ０１）では、通常のベタ基礎の施工と同じく、地盤の転圧、砕石の敷設、いわゆる捨てコンクリート９の打設が行われた後、建物の下部を形成す
るコンクリート部（本態様では、ベタ基礎）６を覆う型枠が設置される。より具体的には、コンクリート部６の鉄筋組立て後、捨てコンクリート９上に、内側型枠７１と外側型枠７２が設置される（図１０Ａ参照）。この際、内側型枠７１と外側型枠７２との間隔は、コンクリート部６と断熱部８の厚さに基づいて設計する。内側型枠７１と外側型枠７２とは、例えばセパレータによって固定する。型枠設置工程が終了すると、防蟻装置設置工程へ進む。
【００３６】
防蟻設置工程（ステップＳ０２）では、防蟻装置１００が設置される。具体的には、まず、外側型枠７２の内側に第一断熱部材８１が設置される（図１０Ｂ参照）。第一断熱部材８１や第二断熱部材８２には、既存の断熱材（例えば、グラスウール）を用いることができる。外側型枠７２と第一断熱部材８１は、断熱固定枠５によって固定される。なお、第一断熱部材８１は、コンクリート部６の周囲に連続して設置される。次に、防蟻装置１００のストッパ受け１が第一断熱部材８１の上に設置される（図１０Ｃ参照）。ストッパ受け１も、コンクリート部６の周囲に連続して設置される。なお、隣接するストッパ受け１同士の継目と収容される仮スペーサ３同士の継目が重ならないようにする。ストッパ受け１同士の継目と仮スペーサ３同士の継目をずらすことで、仮にストッパ受け１内にコンクリートが侵入しても、仮スペーサ３によって蟻ストッパ２を挿入する際の収容スペースを確保することができる。ストッパ受け１の収容部１１には、予め仮スペーサ３を挿入してもよく、また、ストッパ受け１の設置後、仮スペーサを挿入してもよい。ストッパ受け１は、ストッパ受け１の奥側端部１５がコンクリート部６の立ち上がり部６１に埋設されるように設置される。続いて、ストッパ受け１の上に第二断熱部８２が設置される（図１０Ｄ参照）。外側型枠７２と第二断熱部材８２は、断熱固定枠５によって固定される。防蟻装置１００の設置が終了すると、コンクリート打設工程へ進む。
【００３７】
コンクリート打設工程（ステップＳ０３）では、コンクリート部６のコンクリートが打設される（図１０Ｅ参照）。コンクリート打設工程終了後、コンクリート部６の養生が一定期間行われ、型枠解体工程へ進む。
【００３８】
型枠解体工程（ステップＳ０４）では、型枠７が解体される（図１０Ｆ参照）。具体的には、断熱固定枠５が取り外され、内側型枠７１及び外側型枠７２が解体される。型枠解体工程が終了すると、ストッパ差替工程へ進む。
【００３９】
ストッパ差替工程（ステップＳ０５）では、ストッパ受け１の収容部１１に、仮スペーサ３に代えて蟻ストッパ２が挿入される（図１０Ｇ参照）。具体的には、仮スペーサ３の把持部３２を把持して仮スペーサ３が収容部１１から引き抜かれる。次に、蟻ストッパ２同士の間に隙間が生じないよう、コンクリート部６の周囲に連続して蟻ストッパ２が収容部１１に挿入される。ストッパ差替工程が終了すると、仕上工程へ進む。
【００４０】
仕上工程（ステップＳ０６）では、コンクリート部６の施工の仕上げが行われる。具体的には、いわゆるセパ穴の補修や、蟻ストッパ２と断熱部８との間に隙間（特に第二断熱部材８２と下端と蟻ストッパ２との間の隙間）がある場合には、コーキング剤Ａの充填等が行われる（図１０Ｈ参照）。また、必要に応じて、ストッパカバー４が設置される。
【００４１】
以上説明した第一実施形態に係る防蟻装置及び防蟻工法によれば、仮スペーサ３を備えることで、コンクリート部６を打設する際、収容部１１へのコンクリートの侵入を抑制することができる。また、コンクリート圧によって、ストッパ受け１、特に収容部１１が変形することを抑制することができる。その結果、防蟻剤を用いずに、従来よりも更に確実に白蟻を防除することが可能となる。また、上述したように断熱部８を有する建物についても、容易かつ確実に防蟻装置を設置することができる。すなわち、断熱部８（第一断熱材８１、第二断熱材８２）を設置する際に、第一断熱材８１と第二断熱材８２との間にス
トッパ受け１を挟むだけでよい。換言すると、防蟻装置１００を設置せずに断熱材のみを設置する場合と殆ど同じ作業負担で防蟻装置１００を設置することができる。なお、防蟻装置１００は、コンクリート部８まで達しているので、建物下の土壌から建物内へ侵入しようとする白蟻を確実に防蟻装置１００の蟻ストッパ２に導くことができる。その結果、見えないところで白蟻が建物内に侵入するのを抑制することができる。つまり、白蟻の防除効果を実現することができる。
【００４２】
[第二実施形態]
＜防蟻装置＞
図１１は、第二実施形態に係る防蟻装置１００ａを示す。また、図１２は、第二実施形態に係るコンクリート部の施工時における防蟻構造の断面図を示し、図１３は、第二実施形態に係る完成後における防蟻構造の断面図を示す。第二実施形態に係る防蟻装置１００ａは、ストッパ受け１ａ、蟻ストッパ２ａ、仮スペーサ３a、断熱固定枠５、ストッパカバー４ａ、ジョイントカバー１８を備える。防蟻装置１００ａは、いずれも表面に塗装が施された鉄製の薄板によって構成されている。なお、防蟻装置１００ａは、ステンレス製としてもよい。なお、第一実施形態に係る防蟻装置１００と同様の構成については、同様の符号を付し、詳細な説明は省略する。また、第二実施形態に係る防蟻装置では、符号の数字の後にアルファベット「ａ」を付した。このアルファベットは、説明の便宜上付したものであり、同様の数字が付された構成は、基本的には、同様の機能を有し、また、同様の作用効果を有するものとする。以下、第一実施形態に係る防蟻装置との相違点を中心に説明するものとする。
【００４３】
（ストッパ受け）
図１４は、ストッパ受け１ａの斜視図を示す。ストッパ受け１ａは、白蟻の進行を抑制する板状の蟻ストッパの挿入部２１ａを収容する収容部１１ａと、収容部１１ａの開口部１４ａに設けられる板状のフランジ部１０ａと、収容部１１ａと接続される板状の板状部１９ａとを有する。ストッパ受け１ａは、第一実施形態に係るストッパ受け１と同じく、鉄製の薄板を折り曲げることで一体的に形成されている。収容部１１ａの収容深さは、断熱部８の厚みよりも短くなるよう設計されている。これにより、収容部１１ａに対するコンクリート圧などによる負荷が低減される。第二実施形態に係るストッパ受け１ａは、上記のように、収容部１１ａの収容深さが短く形成されているが、これに代えて、板状部１９ａが設けられている。そして、板状部１９ａの収容深さが、断熱部８の厚みよりも長くなるよう設計されている。その結果、板状部１９ａの奥側に設けられた奥側フランジ１９ａ２をコンクリート部６の立ち上がり部６１に埋設することが可能となる。その結果、立ち上がり部６１の外側面（コンクリート部６の外側であり、図１３において、断熱部８の左側に相当する）に沿って進行する白蟻や断熱部８内を進行する白蟻の進路をストッパ受け１ａに沿うよう変更することが可能となる。そして、最終的に白蟻を外部から視認可能である蟻ストッパ２ａの返し部２４ａに導いて、白蟻が見えないところで建物内へ侵入するのを抑制することができる。また、返し部２４ａにより白蟻の進行を遅らせることができ、白蟻の建物内への進行を抑制することが可能となる。なお、ストッパ受け１ａの収容部１１ａの内側の厚みは、蟻ストッパ２ａの挿入部２１ａの厚みと同じとなるように設計されている。なお、ストッパカバー４ａを設置する場合、ストッパ受け１ａの収容部１１ａの内側の厚みは、ストッパカバー４ａの挿入カバー部４１ａの厚みを考慮して設計することが好ましい。ストッパ受け１ａの幅は、施工性を考慮して適宜設計すればよい。
【００４４】
（蟻ストッパ）
第二実施形態に係る蟻ストッパ２ａは、第一実施形態に係る蟻ストッパ２と同じく、挿入部２１ａと突出部２０ａを有する。但し、第二実施形態に係る蟻ストッパ２ａの挿入部２１ａは、収容部１１ａの内側の形状に合わせて設計され、第一実施形態に係る挿入部２１よりも短く形成されている。第二実施形態に係る蟻ストッパ２ａは、挿入部２１ａが短
く形成されている点以外は、第一実施形態に係る蟻ストッパ２の構成と同じである。従って、詳細な説明は、省略する。
【００４５】
（ジョイントカバー）
図１５は、第二実施形態に係るジョイントカバーの斜視図を示す。第二実施形態に係る防蟻装置１００ａは、ジョイントカバー（本発明のカバー部に相当する）１８を更に備えることを特徴とする。ジョイントカバー１８は、鉄製の薄板によって構成されているが、ステンレス製としてもよい。ジョイントカバー１８は、ストッパ受け１ａの板状部１９ａ同士の継目を覆う。従って、ジョイントカバー１８の収容深さ方向における長さは、板状部１９ａの収容深さ方向における長さと同じとすることが好ましい。換言すると、ジョイントカバー１８の収容深さ方向における長さは、コンクリート部６に達する長さを有している必要がある。
【００４６】
（仮スペーサ）
第二実施形態に係る仮スペーサ３ａは、第一実施形態に係る仮スペーサ３と同じく、仮挿入部３１ａ、把持部３２ａを有する。但し、第二実施形態に係る仮スペーサ３ａの仮挿入部３１ａは、収容部１１ａの内側の形状に合わせて設計され、第一実施形態に係る仮挿入部３１よりも短く形成されている。なお、第二実施形態に係る防蟻装置１００ａでは、ストッパ受け１ａの収容部１１ａの深さが短いことから、施工する際の収容部１１ａへの負荷も小さい。従って、仮スペーサ３ａの使用を控えるようにしてもよい。第二実施形態に係る仮スペーサ３ａは、仮挿入部３１ａが短く形成されている点以外は、第一実施形態に係る仮スペーサ３の構成と同じである。従って、詳細な説明は、省略する。
【００４７】
（断熱固定枠）
第二実施形態に係る断熱固定枠５は、第一実施形態に係る断熱固定枠５と同じであるので、説明は省略する。
【００４８】
（ストッパカバー）
第二実施形態に係るストッパカバー４ａは、第一実施形態に係るストッパカバー４と同じく、蟻ストッパ２ａを覆うものであり、挿入部２１ａを覆う挿入カバー部４１ａ、傾斜部２２ａを覆う傾斜カバー部４２ａ、垂直部２３ａを覆う垂直カバー部４３ａ、返し部２４ａを覆う返しカバー部４５ａを有する。なお、挿入カバー部４１ａは、ストッパ受け１ａの挿入部１１ａに合わせて設計されており、第一実施形態に係る挿入カバー部４１よりも短い。
【００４９】
＜防蟻工法＞
次に第二実施形態に係る防蟻工法について説明する。第二実施形態に係る防蟻工法の基本的な手順は、第一実施形態に係る防蟻工法と同じである（図９参照）。まず、型枠設置工程（ステップＳ０１）では、通常のベタ基礎の施工と同じく、地盤の転圧、砕石の敷設、いわゆる捨てコンクリート９の打設が行われた後、建物の下部を形成するコンクリート部（本態様では、ベタ基礎）６を覆う型枠が設置される（図１６Ａ参照）。
【００５０】
次に、防蟻設置工程（ステップＳ０２）では、防蟻装置１００ａが設置される。具体的には、まず、外側型枠７２の内側に第一断熱部材８１が設置される（図１６Ｂ参照）。外側型枠７２と第一断熱部材８１は、断熱固定枠５によって固定される。なお、第一断熱部材８１は、コンクリート部６の周囲に連続して設置される。次に、防蟻装置１００ａのストッパ受け１ａが第一断熱部材８１の上に設置される（図１６Ｃ参照）。なお、ストッパ受け１ａの設置高さは、ストッパ受け１ａが周囲に同じレベルで構造物の周囲に渡って設置できる低い位置とすることが好ましい。また、ストッパ受け１ａも、コンクリート部６の周囲に連続して設置される。その際、ストッパ受け１ａの継目を覆うように、ジョイン
トカバー１８が設置される（図１６Ｄ参照）。続いて、ストッパ受け１ａの上に第二断熱部８２が設置される（図１６Ｅ参照）。外側型枠７２と第二断熱部材８２は、断熱固定枠５によって固定される。防蟻装置１００ａの設置が終了すると、コンクリート打設工程へ進む。
【００５１】
コンクリート打設工程（ステップＳ０３）では、コンクリート部６のコンクリートが打設される（図１６Ｆ参照）。次に、型枠解体工程（ステップＳ０４）では、型枠７が解体される（図１６Ｇ参照）。
【００５２】
次に、ストッパ差替工程（ステップＳ０５）では、ストッパ受け１ａの収容部１１ａに、仮スペーサ３ａに代えて蟻ストッパ２ａが挿入される（図１６Ｈ参照）。なお、第二実施形態では、仮スペーサ３ａの使用を控えてもよく、この場合いは、ストッパ差替工程では、単に蟻ストッパ２ａの挿入が行われる。
【００５３】
その後、仕上工程（ステップＳ０６）では、コンクリート部６の施工の仕上げが行われる。
【００５４】
以上説明した第二実施形態に係る防蟻装置及び防蟻工法によれば、断熱部８を有する建物において、容易かつ確実に防蟻装置を設置することができる。すなわち、断熱部８（第一断熱材８１、第二断熱材８２）を設置する際に、第一断熱材８１と第二断熱材８２との間にストッパ受け１を挟むだけでよい。換言すると、防蟻装置１００ａを設置せずに断熱材のみを設置する場合と殆ど同じ作業負担で防蟻装置１００ａを設置することができる。なお、防蟻装置１００ａのストッパ受け１ａの板状部１９ａは、コンクリート部８まで達しているので、建物下の土壌から建物内へ侵入しようとする白蟻を確実に防蟻装置１００ａの蟻ストッパ２に導くことができる。その結果、見えないところで白蟻が建物内に侵入するのを抑制することができる。つまり、白蟻の防除効果を実現することができる。また、ストッパ受け１ａの継目上には、ジョイントカバー１８が設けられていることから、ストッパ受け１ａの継目からの白蟻の進行も確実に防止することができる。更に、仮スペーサ３ａを用いた場合には、施工時において、ストッパ受け１ａ、特に収容部１１ａが変形することを抑制することができる。また、収容部１１ａの収容深さ方向における長さを短くすることで、ストッパ受け１ａに使用する材料を削減することができる。また、収容部１１ａの収容深さ方向における長さを短くすることに合わせて、仮スペーサ３ａの仮挿入部３１ａ、蟻ストッパ２ａの挿入部２１ａ、ストッパカバー４ａの挿入カバー部４１ａの長さを短くすることができる。その結果、防蟻装置１００ａ全体として、使用する材料を削減することが可能となる。
【００５５】
[実施例]
ここで、上述した実施形態に係る防蟻装置１００、１００ａの設置例と、従来の蟻返しの設置例との比較例について説明する。図１７Ａは、従来の蟻返しの設置例の一例を示す断面図である。図１７Ｂは、従来の蟻返しの設置例の一例を示す平面図である。また、図１８Ａは、実施形態に係る防蟻装置の設置例の一例を示す断面図である。また、図１８Ｂは、実施形態に係る防蟻装置の設置例の一例を示す平面図である。各図における矢印は、白蟻の侵入路を示す。
【００５６】
従来では、蟻返しが基礎より高い位置に設置されていたため、蟻返しよりも低い位置にある基礎と土間との間から白蟻が建物内に侵入する虞があった。また、蟻返しが基礎より高い位置に設置されることで建物の形状の影響を受けてしまい、蟻返しを建物の周囲に継目なく設置することができなかった。例えば、玄関などの土間が基礎よりも外側に突出している場合、土間が設けられる部分において白蟻が侵入してしまうことが懸念された。
【００５７】
これに対し実施形態に係る防蟻装置１００、１００ａは、基礎（コンクリート部６に相当）にストッパ受け１、１ａを接続することで、防蟻装置１００、１００ａを、建物の周囲に継目なく設置することが可能となる。その結果、より確実に白蟻の建物内への侵入を抑制することができる。
【００５８】
以上、本発明の好適な実施形態を説明したが、本発明に係る防蟻装置はこれらに限らず、可能な限りこれらの組合せを含むことができる。
【符号の説明】
【００５９】
１、１ａ・・・ストッパ受け
２、２ａ・・・蟻ストッパ
３、３ａ・・・仮スペーサ
４、４ａ・・・ストッパカバー
５・・・断熱固定枠
６・・・コンクリート部
７・・・型枠
８・・・断熱部
６１・・・立ち上がり部
１１、１１ａ・・・収容部
１８・・・ジョイントカバー
２０、２０ａ・・・突出部
２１、２１ａ・・・挿入部
３１、３１ａ・・・仮挿入部
３２、３２ａ・・・把持部
７１・・・内側型枠
７２・・・外側型枠
８１・・・第一断熱材
８２・・・第二断熱材
１００、１００ａ・・・防蟻装置
【図１】
0005468849.tif 000002
【図２】
0005468849.tif 000003
【図３】
0005468849.tif 000004
【図４】
0005468849.tif 000005
【図５】
0005468849.tif 000006
【図６】
0005468849.tif 000007
【図７】
0005468849.tif 000008
【図８】
0005468849.tif 000009
【図９】
0005468849.tif 000010
【図１０Ａ】
0005468849.tif 000011
【図１０Ｂ】
0005468849.tif 000012
【図１０Ｃ】
0005468849.tif 000013
【図１０Ｄ】
0005468849.tif 000014
【図１０Ｅ】
0005468849.tif 000015
【図１０Ｆ】
0005468849.tif 000016
【図１０Ｇ】
0005468849.tif 000017
【図１０Ｈ】
0005468849.tif 000018
【図１１】
0005468849.tif 000019
【図１２】
0005468849.tif 000020
【図１３】
0005468849.tif 000021
【図１４】
0005468849.tif 000022
【図１５】
0005468849.tif 000023
【図１６Ａ】
0005468849.tif 000024
【図１６Ｂ】
0005468849.tif 000025
【図１６Ｃ】
0005468849.tif 000026
【図１６Ｄ】
0005468849.tif 000027
【図１６Ｅ】
0005468849.tif 000028
【図１６Ｆ】
0005468849.tif 000029
【図１６Ｇ】
0005468849.tif 000030
【図１６Ｈ】
0005468849.tif 000031
【図１７Ａ】
0005468849.tif 000032
【図１７Ｂ】
0005468849.tif 000033
【図１８Ａ】
0005468849.tif 000034
【図１８Ｂ】
0005468849.tif 000035